Podtech/llm-jp-corpus-v4-ja_patent huggingface dataset:
(57)【要約】      （修正有）【課題】有効的にベンチをきれいにできるアウトドアベンチを提供する。【解決手段】クリーニング機能があるアウトドアベンチであり、ベンチの表面１、及び両側の手すり２、後ろ側の背もたれ３、ベンチの底部両側の支える足４を含む。ベンチの表面にブラシ５があり、ブラシがベンチの表面をスライドしてクリーニングできるようになっている。【選択図】図１
0003200280.tif 000002
【実用新案登録請求の範囲】
【請求項１】
アウトドアベンチにおいて、ベンチの表面、及び上端の両側の手すり、上端の後ろ側の背もたれ、ベンチ表面底部の両側を支える足を含み、ベンチの表面の上端にブラシがあり、ブラシとベンチの表面が接触していることを特徴とするアウトドアベンチ。
【請求項２】
請求項１に記載のアウトドアベンチにおいて、ベンチの表面の上端にシュートがあり、ブラシにシュートと配合し接続するスライドがあることを特徴とするアウトドアベンチ。
【考案の詳細な説明】
【技術分野】
【０００１】
本実用新案は、1種のクリーニング機能があるアウトドアベンチにかかわる。
【背景技術】
【０００２】
人々の生活の質の向上につれ、茶飲み話に、人々はよく公園へ散歩に行っている。アウトドアベンチが毎日、空気にさらすため、どうしてもほこりがある。人々が使用時に、いつもベンチをきれいに拭く必要があり、非常に面倒くさい。
【考案の概要】
【考案が解決しようとする課題】
【０００３】
本実用新案が解決の技術問題は、有効的にベンチをきれいに、人々の面倒を減らすアウトドアベンチを提供することである。
【課題を解決するための手段】
【０００４】
これ以上の問題を解決するために、本実用新案は以下の技術方案を採用する。1種のクリーニング機能があるアウトドアベンチは、ベンチの表面、及び上端の両側の手すり、上端の後ろ側の背もたれ、ベンチ表面底部の両側の支える足を含みる。ベンチの表面の上端にブラシがあり、ブラシとベンチの表面が貼っている。
【０００５】
優先的に、ベンチの表面の上端にシュートがあり、ブラシにシュートと配合し接続するスライドがある。
【考案の効果】
【０００６】
本実用新案のクリーニング機能があるアウトドアベンチの有益効果は、設置されたブラシを通して、人々がアウトドアベンチを使用する時に、ブラシを動かすと、高速的にベンチの表面を洗うことができり、きわめて便利である。また、本実用新案は、構造が簡単で、低コストの特徴があり、押す広めることに合う。
【図面の簡単な説明】
【０００７】
【図１】この新型のクリーニング機能があるアウトドアベンチの構造の見取り図である。
【考案を実施するための形態】
【０００８】
図１を見て、1種のクリーニング機能があるアウトドアベンチは、ベンチの表面１、及び上端の両側の手すり２、上端の後ろ側の背もたれ３、ベンチ表面底部の両側の支える足４を含みる。ベンチの表面１の上端にブラシ５があり、ブラシとベンチの表面１が貼っている。
【０００９】
その中で、ベンチの表面１の上端にシュート（図にない）があり、ブラシ５にシュート（図にない）と配合し接続するスライド（図にない）がある。
【００１０】
本実用新案のクリーニング機能があるアウトドアベンチの有益効果は、設置されたブラシを通して、人々がアウトドアベンチを使用する時に、ブラシを動かすと、高速的にベンチの表面を洗うことができり、きわめて便利である。また、本実用新案は、構造が簡単で、低コストの特徴があり、押す広めることに合う。
【００１１】
以上によると、これは、わずか本実用新案の具体的な実施方式である。でも、本実用新案の保護範囲は、ここにだけではなく、何か創造的な労働を経てない変化と替えることが、本実用新案の保護範囲にいる。だから、本実用新案の保護範囲は、権利請求書に限定の保護範囲によって基準をする。
【符号の説明】
【００１２】
１  ベンチの表面
２  手すり
３  背もたれ
４  足
【図１】
0003200280.tif 000003
(57)【要約】      （修正有）【課題】安全帯の安全ロープのフックを、Ｄ環に装着された工具落下防止紐フックまたは付属のリングに間違って掛けることを確実に回避できる工具落下防止紐固定金具を提供する。【解決手段】電柱、鉄塔等の高所作業時に腰に装着する安全帯に保持する工具落下防止紐固定金具１は、安全帯ベルト２を通すベルト溝と工具落下防止紐４を通すのに対応した大きさの紐溝が一体となった板形状であり、ベルト溝の下部位置に安全帯ベルトを挿入するベルト挿入口を備える。【選択図】図１
0003200276.tif 000002
【実用新案登録請求の範囲】
【請求項１】
電柱、鉄塔等の高所作業時に腰に装着する安全帯ベルトに保持する工具落下防止紐固定金具において、前記安全帯ベルトを通されるベルト溝と、前記工具落下防止紐が挿入される紐溝と、前記安全帯ベルトを通す際に挿入するベルト挿入口とを備え、前記ベルト挿入口が前記ベルト溝の下部位置に設けられたことを特徴とする工具落下防止紐固定金具。
【請求項２】
請求項１記載の工具落下防止紐固定金具において、前記ベルト溝の下部位置に設けられたベルト挿入口に上部テーパー部と下部テーパー部を備えた板形状の工具落下防止紐固定金具。
【請求項３】
請求項１記載の工具落下防止紐固定金具において、通常使用される工具落下防止紐に対応した大きさの紐溝を有する工具落下防止紐固定金具。
【請求項４】
請求項１記載の工具落下防止紐固定金具において、材質にステンレスを使用したことを特徴とする工具落下防止紐固定金具。
【考案の詳細な説明】
【技術分野】
【０００１】  この考案は電柱、鉄塔等の高所作業時に作業員が腰に装着する安全帯に固定する工具落下防止紐固定金具に関するものである。
【背景技術】
【０００２】  電気通信建設業界では、電柱、鉄塔等の高所作業において、高所に安定した足場の確保が難しいため、腰に装着した安全帯に片端を固定した安全ロープを電柱または鉄塔部材等を抱き込むように廻し掛け、他方の端部のフックを安全帯に固定したＤ環に引っ掛けて体を固定し作業することがおこなわれている。【０００３】  また、高所から工具が落下させることを排除するため、高所作業においては、工具落下防止紐の着用が義務付けられるようになった。（例えば特許文献１参照）【０００４】  そこで、このような高所作業の際には、工具落下防止紐を安全帯に取り付けた開閉可能なカラビナに装着することが行われていた。【０００５】  しかし、安全ロープのフックを、強度のないカラビナに間違って装着すると、カラビナが破断することがあった。
したがって、電気通信建設業界では、安全帯にカラビナの取り付けを禁止することが義務付けられた。【０００６】  そこで、工具落下防止紐をＤ環に装着することが行われていた。
しかし、安全ロープのフックを、強度のない工具落下防止紐フックまたは付属のリングに間違って装着することがあった。
【先行技術文献】
【特許文献】
【０００７】
【特許文献１】特開２００９−０６１５５１
【特許文献２】特開２０１０−０９９７７５
【考案の概要】
【考案が解決しようとする課題】
【０００８】  Ｄ環に装着された工具落下防止紐フックまたは付属のリングに安全ロープのフックを間違って装着することがある。【０００９】  この考案は、上記のような問題点を解決するためになされたもので、安全帯に工具落下防止紐を装着することができ、安全ロープのフックを間違って装着することを確実に回避できる工具落下防止紐固定金具を得ることを目的とする。
【課題を解決するための手段】
【００１０】  電柱、鉄塔等の高所作業時に腰に装着する安全帯に保持する工具落下防止紐固定金具において、安全帯ベルトを通すベルト溝と工具落下防止紐を通す紐溝が一体となった板形状で、前記安全帯ベルトを通す際に挿入するベルト挿入口とを備え、前記ベルト挿入口が前記ベルト溝の下部位置に設けられたことを特徴とする。
【考案の効果】
【００１１】  本発明による工具落下防止紐固定金具は、安全帯ベルトを通すベルト溝と工具落下防止紐を通す紐溝が一体となった板形状で、ベルト溝下部位置に安全帯ベルトを挿入する開口を備えているため、工具落下防止紐を安全帯ベルトに保持することができる。さらに、工具落下防止紐を保持する溝の大きさを通常使用されている工具落下防止紐の大きさとしたため、安全ロープのフックを間違って掛けることを排除できる。
また、ベルト溝下部位置に設けたベルト挿入口の上部テーパー部により、安全帯を腰に装着したまま、工具落下防止紐固定金具を脱着できる。さらに、ベルト挿入口の下部テーパー部により、作業時の不慮の脱落を回避できる。【００１２】  本発明による工具落下防止紐固定金具は、板形状にしたことで、安全帯ベルトに複数個保持させることができる。
また、材質をステンレスにしたことで、屋外作業に必要な防錆性能と耐候性能を有する。
【図面の簡単な説明】
【００１３】
【図１】  この発明の通常使用時の安全帯全体を示す斜視図である。
【図２】  この発明の実施例１を示し、（ａ）及び（ｅ）は、工具落下防止紐固定金具を示す正面図、（ｂ）及び（ｆ）は、安全帯ベルトに工具落下防止紐固定金具を挿入している状態を示す正面図、（ｃ）及び（ｇ）は、安全帯ベルトに工具落下防止紐固定金具が保持されている状態を示す正面図、（ｄ）及び（ｈ）は、工具落下防止紐固定金具の側面図である。
【考案を実施するための形態】
【実施例１】
【００１４】  図２において、（ａ）及び（ｅ）は、この発明の形態を示す工具落下防止紐固定金具の正面図である。工具落下防止紐固定金具１は、安全帯ベルト２と通すベルト溝１Ａと工具落下防止紐４を通す紐溝１Ｂが一体となった板形状であり、防錆また耐候性のステンレス素材にて形成されている。【００１５】  図２において、（ｂ）及び（ｆ）は、工具落下防止紐固定金具１のベルト挿入口１Ｃから安全帯ベルト２を挿入途中の状態を示し、図２（ｃ）及び（ｇ）は、ベルト溝１Ａに安全帯ベルト２が収納されるまで押し込み、安全帯ベルト２に工具落下防止紐固定金具１が保持されている状態を示す。ベルト挿入口１Ｃをベルト溝１Ａの下部位置に設けたことで、安全帯を腰に装着したまま工具落下防止紐固定金具１を脱着できる。【００１６】  図１は、工具落下防止紐固定金具１が、安全帯ベルト２に保持された状態における、通常使用時の安全帯全体を示す斜視図である。Ｄ環３の周辺に、安全ロープのフックを間違って掛ける隙間がなく、作業の安全性を確保できる。【００１７】  図１において、（ｄ）及び（ｈ）は、工具落下防止紐固定金具１の側面図である。工具落下防止紐固定金具１は、板形状であるため、安全帯ベルト２に複数個保持することができ、作業の効率性を確保できる。（図１参照）
【符号の説明】
【００１８】    １  工具落下防止紐固定金具、１Ａ  ベルト溝、１Ｂ  紐溝、１Ｃ  ベルト挿入口、１Ｄ  上部テーパー部、１Ｅ  下部テーパー部、２  安全帯ベルト、３  Ｄ環、４  工具落下防止紐。
【図１】
0003200276.tif 000003
【図２】
0003200276.tif 000004
(57)【要約】      （修正有）【課題】軽量で、携帯にも便利で、ファッション性を追求できる空気注入式かぶり傘を提供する。【解決手段】ビニール系もしくは塩ビ系の傘で、表皮１と下皮４の縫い目３の間にいくつかの空気層を作り、中央上部の空気注入口２から空気を送り込むと傘のように広がり、さらに下皮にセットされているあご紐６つき帽子５が飛び出す。頭を入れ、あご紐を結わくと完結する。【選択図】図３
0003200275.tif 000002
【実用新案登録請求の範囲】
【請求項１】
表皮と下皮に、それぞれ空気が漏れないビニール系もしくは塩化ビニール系の素材が使用され、表皮と下皮２枚に中央に向かって縦に傘の骨のような縫い目を入れ、同様に傘の周囲にも縫い目を入れることで、いくつかの空気を溜め込むための層を作り、ここに中央突起部分の空気注入口から空気を吹き込むと前記層が広がり、同時に下皮にセットされたひも付き帽子が飛び出す空気注入式かぶり傘。
【考案の詳細な説明】
【技術分野】
【０００１】この考案は傘の中央部から２０センチほどの位置に上皮及び下皮を縫い合わせた、傘の骨のような縫い目を縦に入れ、周囲にも同じように上下を縫い合わせた縫い目を入れ、いくつかの袋を作るところが特徴。そこに中央上部の空気注入口から空気を送り込むと空気層が広がり、同時に下皮にセットされた、あご紐つきの帽子が、下りてきて頭を入れ、ひもで結わくと完結する空気注入式かぶり傘である。
傘の大きさ形状には、特にこだわる必要はなく自由に形を変えることができかつファッション性をも追求できるところが特徴。
【背景技術】
【０００２】現在使われている傘は持ち運びに不便、重く、かつ骨が折れやすい、さらに片手が使えないため杖をついた人、車いす利用者、高齢者などはもとより、健常者においても自転者走行時、農作業時、野球観戦時などに欠点が多く不便。これらの多くの問題点を抱えている現状を解決しようとするものである。
【考案の概要】
【考案が解決しようとする課題】
【０００３】この考案の狙いとするところは
突然の降雨時の対応
自転車走行時突然の降雨時の対応
地震津波警報が出たときの対応
身体障害者の降雨時の対応
高齢者、杖を突いた障害者への対応
車いすで移動するときの対応
農作業時の降雨時の対応
スポーツ観戦時の対応
直射日光への対応
など広範囲に及ぶ。
【課題を解決するための手段】
【０００４】ビニール系もしくは塩化ビニール系の素材を使い、周囲及び縦に上皮、下皮を接着するための縫い目を入れることで、いくつかの空気を溜め込むための層ができ、上部中央突起部分の空気注入口から空気を入れると傘のように広がる設計。
下皮のビニールには中心部に帽子が縫い付けられていて前記層の広がりとともに飛び出してきて、そこに頭を入れ帽子についているあご紐をかけると完結する仕様。
【考案の効果】
【０００５】小さくたためるためる上に、持ち運びに便利、軽量でしかも安全、安価。
空気を入れるのも抜くのも簡単。
形状も自由でありファッション性も追求できる。
さらに降雨時のみならず、日照時、転倒時の事故防止、地震津波対策、身体障害者、高齢者対策など広範囲に対応できる。
軽量で安全、安心、安価が最大のメッリト。
【考案を実施するための最良の形態】
【実施例１】
【０００６】日照時、降雨時にかぶり傘として使用すると効果的
【産業上の利用可能性】
【０００７】大中小と体に合わせ設計自由、形状も設計自由であり帽子にも応用でき広範囲に利用可能できる。
ファッション性も追求できる。全世界共通の悩みを解決するものであり産業上利用価値は大きい。
【図面の簡単な説明】
【０００８】
【図１】かぶり傘をたたんだ状態
【図２】かぶり傘に空気を少し入れた状態の斜視図
【図３】同、空気をいっぱい入れた状態の斜視図。
【図４】傘を下から見た図
【図５】かぶり傘に空気を入れ実際にかっぶった人物像の斜視図。
【図６】かぶり傘を産業上の利用分野から描いた斜視図
【符号の説明】
【０００９】１    かぶり傘の表皮
２    かぶり傘中央空気注入排出口
３    上下をミシンで縫い合わせた接着部分
４    かぶり傘の裏側部分
５    下皮にセットされた帽子
６    あごひも
【図１】
0003200275.tif 000003
【図２】
0003200275.tif 000004
【図３】
0003200275.tif 000005
【図４】
0003200275.tif 000006
【図５】
0003200275.tif 000007
【図６】
0003200275.tif 000008
(57)【要約】      （修正有）【課題】既存の視線誘導標に最小の加工を施すことにより後付けで取り付けることが可能であり、且つ、一旦取りつけた後は容易な手段では取り外すことができないような取付構造を有する視線誘導標用発光装置を提供する。【解決手段】柱状の視線誘導標の頭部に設置する視線誘導標用発光装置１において、太陽電池モジュール４と複数のＬＥＤ発光体とを備えた本体部２と、本体部２の下端より下方に向けて突出された円筒キャップ部３とを備え、円筒キャップ部３の側面には複数の貫通孔５を設けており、視線誘導標の頭部にキャップ部３を嵌着させた状態で貫通孔５と連通する孔を前記視線誘導標の頭部に開穿し、前記連通孔に円筒キャップ部３の側面側から拡開ピンを挿入して固定することを特徴とした。【選択図】図１
0003200521.tif 000002
【実用新案登録請求の範囲】
【請求項１】
柱状の視線誘導標の頭部に設置する視線誘導標用発光装置において、太陽電池モジュールと複数のＬＥＤ発光体とを備えた本体部と、本体部の下端より下方に向けて突出された円筒キャップ部とを備え、前記円筒キャップ部の側面には複数の貫通孔を設けており、視線誘導標の頭部に前記キャップ部を嵌着させた状態で前記貫通孔と連通する孔を前記視線誘導標の頭部に開穿し、前記連通孔に前記円筒キャップの側面側から拡開ピンを挿入して固定することを特徴とする視線誘導標用発光装置。
【考案の詳細な説明】
【技術分野】
【０００１】
本発明は、道路の路肩や中央分離帯などに設置され、昼夜間における車両運転者の視線を誘導する視線誘導標（柱）の頭部に取り付けるソーラー式発光装置に関するものである。
【背景技術】
【０００２】
従来、柱状の視線誘導標の内部に発光装置を有する一体型の視線誘導標用発光装置は知られていた（特許文献１参照）。また、既存の視線誘導標に後付で発光装置を取り付ける構造のもとして、単に視線誘導標の頭部に嵌着させるだけのものや、ネジにより固着させるものが知られている（特許文献２及び３参照）。
【先行技術文献】
【特許文献】
【０００３】
【特許文献１】特許第３４５５６９６号公報
【特許文献２】特許第４９１８５１５号公報
【特許文献３】特開２０１２−１９３４９７号公報
【考案の概要】
【考案が解決しようとする課題】
【０００４】
しかしながら、ネジや単なる嵌着により既存の視線誘導標に後付けで発光装置を取り付ける構造では、一般的な工具を使うことで容易に取り外すことができてしまい、いたずら等で発光装置を取り去られてしまうことがあった。
本考案は、既存の視線誘導標に最小の加工を施すことにより後付けで取り付けることが可能であり、且つ、一旦取りつけた後は容易な手段では取り外すことができないような取付構造を有する視線誘導標用発光装置を提供することを目的とするものである。
【課題を解決するための手段】
【０００５】
上記目的を達成するために、柱状の視線誘導標の頭部に設置する視線誘導標用発光装置において、太陽電池モジュールと複数のＬＥＤ発光体とを備えた本体部と、本体部の下端より下方に向けて突出された円筒キャップ部とを備え、前記円筒キャップ部の側面には複数の貫通孔を設けており、視線誘導標の頭部に前記キャップ部を嵌着させた状態で前記貫通孔と連通する孔を前記視線誘導標の頭部に開穿し、前記連通孔に前記円筒キャップの側面側から拡開ピンを挿入して固定することを特徴とした。
【考案の効果】
【０００６】
本考案により、既存の視線誘導標に容易に後付け設置をすることが可能で、且つ容易な手段では取り外すことができない取付構造を有する視線誘導標用発光装置を実現することができる。
【図面の簡単な説明】
【０００７】
【図１】視線誘導標用発光装置の外観図
【図２】視線誘導標用発光装置の部分断面図
【図３】視線誘導標用発光装置の設置状態図
【図４】視線誘導標用発光装置と視線誘導標との固定部拡大図
【図５】拡開ピンの側面図
【考案を実施するための形態】
【０００８】
本考案の実施の形態を図面に基づき具体的に説明する。
図１は視線誘導標用発光装置の概観図であり、（イ）は平面図であり、（ロ）は側面図である。図２は図１（ロ）の部分断面図であり、図３は視線誘導標に本考案の発光装置を設置した状態を示すものであり、図４は図３の固定部分を拡大表示したものである。図５は、拡開ピンの一例である。頭部９とその下面に設けた複数の脚片１０から構成し、該複数の脚片１０の各外側下端にテーパー面を有する係止用突起１１が設けられている。
【０００９】
視線誘導標用発光装置１は本体部２と円筒キャップ部３から構成されている。本体部２の上面には太陽電池モジュール４が搭載され、図示しないものの、本体部２の内部には発光ダイオード（ＬＥＤ発光体）と太陽電池モジュール４で発電された電力を貯めておく蓄電池と各種制御装置が組み込まれている。これら内部機構は周知の構成であるので詳細説明は省略する。円筒キャップ部３は下方に開口した円筒形状（キャップ形状）をなしており、側壁部には複数の貫通孔５が設けられている。円筒キャップ部の内径は既存の視線誘導標（柱）の外径に対応した大きさで設定する。
本体部２は透光性を有する素材で構成し、且つ本体部２の側壁部分はレンズ効果を奏する形状にすることが望ましい。これにより内部の発光ダイオードの光を効率よく且つ遠方まで到達させることができる。
【００１０】
本考案が想定する視線誘導標（柱）は、ゼブラゾーンの境界や中央線などに設置されている柱状の物体で、一般にラバー製で内部が空洞の構造をしており、自動車が接触したり衝突しても自然に倒れて自分で起き上がるようになっている。通常は柱の周面には反射テープ等の反射素材が適用されており、運転者の目につきやすいようになっている。本考案は、その視線誘導標の頭部に簡単に取り付けが可能で、夜間等もより一層運転者の注意を喚起できるソーラータイプのＬＥＤ発光装置を提供するものである。
【００１１】
視線誘導標７に本考案の視線誘導標用発光装置１を取り付ける方法を説明する。
先ず、既設の視線誘導標７の頭部に視線誘導標用発光装置１の円筒キャップ部３を被せて、側面の貫通孔５に合わせて視線誘導標７に連通孔８を開穿する。具体的には貫通孔５を通して電動ドリル等で孔をあけるものである。また、予め孔位置を予測して視線誘導標７に連通孔８を開けておいてもよい。次に、拡開ピン６を貫通孔５側から連通孔８を通して拡開ピン６の係止用突起１１が視線誘導標７の内側に至るまで挿入する。これにより拡開ピン６は逆戻りすることなく止まることで視線誘導標用発光装置１が視線誘導標７の頭部に固定される。一旦、固定状態になると、ネジ止め固定のように一般の工具で取り外すことはできなくなり、イタズラ等で視線誘導標用発光装置が持ち去られる等の被害を防ぐことができるものである。
【符号の説明】
【００１２】
１  視線誘導標用発光装置
２  本体部
３  円筒キャップ部
４  太陽電池モジュール
５  貫通孔
６  拡開ピン
７  視線誘導標
８  連通孔
９  頭部
１０  脚片
１１  係止用突起
【図１】
0003200521.tif 000003
【図２】
0003200521.tif 000004
【図３】
0003200521.tif 000005
【図４】
0003200521.tif 000006
【図５】
0003200521.tif 000007
(57)【要約】      （修正有）【課題】一体成形されたイージーオープン蓋を提供する。【解決手段】イージーオープン缶の蓋体１には一周のくぼみ１１が設けられ、くぼみの周囲にプルタブ２が分布し、プルタブには２つのプレス結合点２１が設けられ、一方が点ａ２１１であり、他方が点ｂ２１２であり、点ａがプルタブの上に位置し、かつイージーオープン缶の蓋体に結合し、イージーオープン缶の蓋体における一周のくぼみの外側１１１に位置し、点ｂがプルタブの上に位置し、かつイージーオープン缶の蓋体に結合し、イージーオープン缶の蓋体における一周のくぼみの内側１１２に位置し、両者はプレスによりイージーオープン缶の蓋体に結合する。このような構造によれば、環境を保護しながら、飲む時の衛生をさらに向上させ、一体イージーオープン蓋をより容易にオープンすることを可能にする。【選択図】図１
0003200551.tif 000002
【実用新案登録請求の範囲】
【請求項１】
一体成形されたイージーオープン蓋であって、イージーオープン缶の蓋体には一周のくぼみが設けられ、くぼみの周囲にプルタブが分布し、プルタブには２つのプレス結合点が設けられ、一方が点ａであり、他方が点ｂであり、点ａがプルタブの上に位置し、かつイージーオープン缶の蓋体に結合し、イージーオープン缶の蓋体における一周のくぼみの外側に位置し、点ｂがプルタブに位置し、かつイージーオープン缶の蓋体と結合し、イージーオープン缶の蓋体における一周のくぼみの内側に位置し、両者はプレスによりイージーオープン缶の蓋体に結合することを特徴とする一体成形されたイージーオープン蓋。
【請求項２】
点ａが蓋体の中間部位に位置し、点ｂが蓋体の辺縁部位に位置することを特徴とする請求項１に記載の一体成形されたイージーオープン蓋。
【考案の詳細な説明】
【技術分野】
【０００１】
本案は一体成形されたイージーオープン蓋に関する。
【背景技術】
【０００２】
現在、市場で用いられている飲み物などのアルミニウム缶は、その缶体における一体成形された蓋によって環境保護目的をうまく実現することができるが、その蓋はオープンが困難であり、健康面で問題がある。
【考案の概要】
【考案が解決しようとする課題】
【０００３】
本案の目的は一体成形されたイージーオープン蓋を提供し、一体成形された蓋を容易にオープンし、オープンした後に金属シートを飲み物などに接触しないようにプルタブを押し下げて回転させる。
【課題を解決するための手段】
【０００４】
前記目的を実現するために、本案は以下の技術方案を提供する。一体成形されたイージーオープン蓋は、イージーオープン缶の蓋体には一周のくぼみが設けられ、くぼみの周囲にプルタブが分布し、プルタブに２つのプレス結合点が設けられ、一方が点ａであり、他方が点ｂであり、点ａがプルタブの上に位置し、かつイージーオープン缶の蓋体に結合し、イージーオープン缶の蓋体における一周のくぼみの外側に位置し、点ｂがプルタブの上に位置し、かつイージーオープン缶の蓋体に結合し、イージーオープン缶の蓋体における一周のくぼみの内側に位置し、両者がプレスによりイージーオープン缶の蓋体に結合する。
【０００５】
さらに、プレス結合点において、点ａが常に、蓋の中間部位に位置し、点ｂが蓋の辺縁部位に位置する。
【０００６】
さらに、蓋体およびプルタブはアルミニウム金属を採用して作成する。
【０００７】
さらに、点ａ、点ｂは１回のプレス結合により完成する。
【０００８】
さらに、プルタブは点ａを通じていつでも蓋に接続する。
【０００９】
さらに、蓋体の一周のくぼみが設けられた金属シートはオープンおよびクローズする時に、いずれもプルタブにおける点ｂに接続する。
【００１０】
さらに、点ａ、点ｂはいずれもプレスにより蓋体に結合する。
【００１１】
さらに、プレス結合の点ａは回転自在である。
【００１２】
さらに、プルタブを長くすることは缶のキャップを容易にオープンすることができる。
【００１３】
さらに、一周のくぼみは完全な一周である。
【００１４】
さらに、くぼみの形状は必要に応じて設置し、通常は略楕円形である。
【考案の効果】
【００１５】
本案の効果は、一体成形されたイージーオープン蓋の構造を改良することで、その缶のキャップをオープンする時に、蓋体は金属シートが脱落しないと同時に、オープンされた金属シートが缶内の液体と接触せず、清潔さ、衛生を確保することである。このような構造は、環境保護だけではなく、飲む時の衛生をさらに向上させ、一体成形されたイージーオープン蓋をより容易にオープンすることを可能にする。
【図面の簡単な説明】
【００１６】
【図１】本案の上面構成を模式的に示す図である。
【図２】本案の上面構成を模式的に示す図である。
【図３】本案の構成を模式的に示す図である。
【考案を実施するための形態】
【００１７】
以下、図面および具体的な実施形態に合わせて本案をさらに詳しく説明する。
図１〜３に示すように、一体成形されたイージーオープン蓋では、イージーオープン缶蓋体１と缶体５において、イージーオープン缶の蓋体１には一周のくぼみ１１が設けられ、一周のくぼみ１１の周囲にプルタブ２が分布し、プルタブ２には２つのプレス結合点２１が設けられ、一方が点ａ２１１であり、他方が点ｂ２１２であり、点ａ２１１がプルタブ２の上に位置し、かつイージーオープン缶の蓋体１に結合し、イージーオープン缶の蓋体１における一周のくぼみ１１の外側１１１に位置し、点ｂ２１２がプルタブ２の上に位置し、かつイージーオープン缶の蓋体１に結合し、イージーオープン缶の蓋体１における一周のくぼみ１１の内側１１２に位置し、両者がプレスによりイージーオープン缶の蓋体１に結合するように構成される。
【００１８】
使用時に、手で上へプルタブ２を引っ張ると、プルタブ２は蓋体１の一周のくぼみ１１の内側１１２における金属シートを押してオープンし、続いて、プルタブ２を押し下げ、点ｂ２１２と一周のくぼみ１１の内側１１２における金属シート３を持ち上げて蓋体１の表面より高くなり、点ａ２１１を中心点として、プルタブ２を回動させ、プルタブ２と一周のくぼみ１１の内側１１２の金属シート３が缶内の飲み物などの物体と接触しないように保証し、飲みの安全、衛生を確保する。かつ留めた飲み孔４は液体が流れ出すことに用いられる。プルタブ２を長くすることで、イージーオープン缶をより容易にオープンすることができる。アルミニウムイージーオープン缶の飲み物の缶のキャップに適用される。
【符号の説明】
【００１９】
１  蓋体
１１  一周のくぼみ
１１１  一周のくぼみの外側
１１２  一周のくぼみの内側
２  プルタブ
２１  プレス結合点
２１１  点ａ
２１２  点ｂ
３  金属シート
４  飲み孔
５  缶体。
【図１】
0003200551.tif 000003
【図２】
0003200551.tif 000004
【図３】
0003200551.tif 000005
(57)【要約】      （修正有）【課題】床パネルの温度、湿度の影響による伸縮を吸収し、長期間使用してもパネル間の隙の発生または突き上げによりパネルが破損しない置き床構造を提供する。【解決手段】床パネル３を間隙９を介して敷設し、間隙９をカバー材７で被覆する。カバー材７の一端が床パネル３に固定し、他端は固定しない。固定の手段にはパネル厚みを貫通しないビス５を用いる。床パネル３は上から順に、メラミン樹脂含浸耐摩耗パターン紙、硬質繊維板、メラミン樹脂含浸バランス紙、とから構成される。カバー材７には厚み１〜２ｍｍのスチール鋼板を用いる。【選択図】図１
0003200518.tif 000002
【実用新案登録請求の範囲】
【請求項１】
床パネル３が間隙９を介して敷設され、前記間隙９がカバー材７で被覆されてなる置き床構造。
【請求項２】
前記カバー材７の一端が前記床パネル３に固定されてなることを特徴とする請求項１記載の置き床構造。
【請求項３】
前記固定の手段はビス５によることを特徴とする請求項２記載の置き床構造。
【考案の詳細な説明】
【技術分野】
【０００１】
本考案は置き床構造に関する。
【背景技術】
【０００２】
従来、床パネルを連設する置き床があり、隣り合う床パネルは嵌合構造を有している。
【特許文献１】特開平５−３４００７１号公報
【考案の概要】
【考案が解決しようとする課題】
【０００３】
しかしながら、床パネルが木質系基材を用いている場合、温度、湿度の影響により伸縮し、長期間使用しているとパネル間の隙発生または突き上げによりパネルが破損することがあった。
【課題を解決するための手段】
【０００４】
本考案は、床パネル３が間隙９を介して敷設され、前記間隙９がカバー材７で被覆されるとともに、前記カバー材７の一端が前記床パネル３に固定されてなることを特徴とする置床構造である。
【考案の効果】
【０００５】
本考案の置き床構造を採用すれば伸縮によりパネル間の隙発生または突き上げによりパネルが破損しない。以下、図面に基づいて詳細に説明する。
【図面の簡単な説明】
【０００６】
【図１】置き床構造の構成断面図。
【図２】置き床構造の斜視図。
【考案を実施するための最良の形態】
【０００７】
以下、本考案を図面に基づいて説明する。図１は本考案の置き床構造の構成断面図、図２は斜視図であり、隣り合う床パネル３は間隙９を設けて敷設されている。
【０００８】
床パネル３は上から順に、メラミン樹脂含浸耐摩耗パターン紙、硬質繊維板、メラミン樹脂含浸バランス紙、とから構成されている。
【０００９】
メラミン樹脂含浸耐摩耗パターン紙は化粧板用の化粧紙に、メラミン、尿素、アセトグアナミン、ベンゾグアナミンなどのアミノ化合物とホルムアルデヒドとの縮合物を主成分とする樹脂液を含浸し、乾燥したものが適用できる。
【００１０】
基材の例として、木質繊維板としては比重が０．６〜１．０のものが使用でき、例えば、中質繊維板（ＭＤＦ）、硬質繊維板（ＨＤＦ）等を好適に使用することができる。ここで、木質繊維板は、方向性がなく、また合板用の単板と異なり、裏割れがなく、平滑性に優れていることから好ましい。本考案では厚み８ｍｍのＭＤＦを用いている。
【００１１】
メラミン樹脂含浸バランス紙は、化粧板用のバランス紙に前記同様の樹脂液を含浸し、乾燥したものが適用できる。
【００１２】
メラミン樹脂含浸パターン紙、木質繊維板、メラミン樹脂含浸バランス紙を積層し、温度１４０〜１９０℃、時間２０秒〜５分、圧力４〜５０ｋｇｆ／ｃｍ２の条件で熱圧成形され、複合材が得られる。
【００１３】
間隙９はカバー材７で被覆され、一端が固定され他端は固定されていない。他端を固定しないことにより床パネル３の伸縮による破損が生じない。カバー材７には厚み１〜２ｍｍのスチール鋼板が用いられている。カバー材７には化粧フィルムを施し意匠性を向上させても良い。固定手段としてはパネル厚みを貫通しないビス５を用いている。固定手段はビス５の他、粘着テープ、接着剤でもよい。
【符号の説明】
【００１４】
３  床パネル
５  ビス
７  カバー材
９  間隙
【図１】
0003200518.tif 000003
【図２】
0003200518.tif 000004
(57)【要約】      （修正有）【課題】人が視覚的に楽しめる動物用ガムを提供する。【解決手段】牛皮等を材料に製造された板状の動物用ガム１であり、一端側のハート形の意匠部２と意匠部２から延設された取っ手部３を備えている。動物用ガム１に意匠部２を設けたので人が取っ手部３を手に持って犬等の愛玩動物に噛ませている間、視覚的に楽しむことができ、飽きが来なくなる。【選択図】図１
0003200589.tif 000002
【実用新案登録請求の範囲】
【請求項１】
図形、動物、植物、文字、生活用具、身の回り品の内、少なくとも一つの種類を模した意匠部と、
意匠部から延設された取っ手部と、
を備え、
こられの意匠部と取っ手部とを動物用ガム材料から形成したこと、
を特徴とする動物用ガム。
【請求項２】
取っ手部に捻りを加えたこと、
を特徴とする請求項１記載の動物用ガム。
【考案の詳細な説明】
【技術分野】
【０００１】
本考案は動物用ガムに係り、とくに人が視覚的に楽しめる動物用ガムに関する。
【背景技術】
【０００２】
牛皮等から製造された従来の動物用ガムは、棒状等形態が単純で人が視覚的に楽しめなかった。
【先行技術文献】
【特許文献】
【０００３】
【特許文献１】特許第５４８６７２８号公報
【考案の概要】
【考案が解決しようとする課題】
【０００４】
本考案は上記した従来技術の問題に鑑みなされたもので、人が楽しめる動物用ガムを提供することを、その目的とする。
【課題を解決するための手段】
【０００５】
本考案では、
図形、動物、植物、文字、生活用具、身の回り品の内、少なくとも一つの種類を模した意匠部と、
意匠部から延設された取っ手部と、
を備え、
こられの意匠部と取っ手部とを動物用ガム材料から形成したこと、
を特徴としている。
他の考案では、取っ手部に捻りを加えたこと、
を特徴としている。
【考案の効果】
【０００６】
本考案によれば、動物用ガムに意匠部を設けたので人が手に持ったり、保持具に保持させて愛玩動物に噛ませている間、視覚的に楽しむことができ、飽きが来ない。
また、取って部に捻りを加えたことにより、持ち易くなったり、保持具に保持させ易くなる。
【図面の簡単な説明】
【０００７】
【図１】本考案の第１実施例に係る動物用ガムの外観図である（実施例１）。
【図２】図１の変形例に係る動物用ガムの外観図である。
【図３】本考案の第２実施例に係る動物用ガムの外観図である（実施例２）。
【図４】図３の変形例に係る動物用ガムの外観図である。
【図５】本考案の第３実施例に係る動物用ガムの外観図である（実施例３）。
【図６】図５の変形例に係る動物用ガムの外観図である。
【図７】本考案の第４実施例に係る動物用ガムの外観図である（実施例４）。
【図８】図７の変形例に係る動物用ガムの外観図である。
【図９】本考案の第５実施例に係る動物用ガムの外観図である（実施例５）。
【図１０】図９の変形例に係る動物用ガムの外観図である。
【考案を実施するための最良の形態】
【０００８】
以下、本考案の最良の形態を実施例に基づき説明する。
【実施例１】
【０００９】
図１を参照して本考案の第１実施例を説明する。図１は本考案に係る動物用ガムの外観図である。
図１において、１は牛皮等を材料に製造された板状の動物用ガムであり、一端側のハート形の意匠部２と意匠部２から延設された取っ手部３を備えている。
動物用ガム１に意匠部２を設けたので人が取っ手部３を手に持って犬等の愛玩動物に噛ませている間、視覚的に楽しむことができ、飽きが来なくなる。
【００１０】
図２は図１の変形例を示す。図２の動物用ガム１Ａは図１の取っ手部に捻りを加えた取っ手部３Ａとしたものであり、強度が増すとともに持ち易くなる。
【００１１】
図３は本考案の第２実施例を示す。図３の動物用ガム１Ｂは渦巻き形の意匠部２Ｂと捻りを加えた取っ手部３Ｂを備えたものである。図４は図３の変形例を示し、この動物用ガム１Ｃは円盤状の意匠部２Ｃに渦巻き模様２０が形成してある。渦巻き模様２０は例えば、熱した金属棒で牛皮表面を焼くことで形成できる。
第１、第２実施例とそれらの変形例は図形を模した意匠部とした例を示すものであり、他にひし形、多角形、星形、ピラミッド形などとすることもできる。
【００１２】
図５は本考案の第３実施例を示す。図５の動物用ガム１Ｄは魚形の意匠部２Ｄと意匠部２Ｄから延設された平板状の取っ手部３Ｄを備えたものである。図６は図５の変形例を示し、この動物用ガム１Ｅは像の顔形の意匠部２Ｅと像の鼻を模した取っ手部３Ｅを備えている。
なお、魚、像以外の動物の形を模した意匠部、或いは、花、葉っぱ、実などの植物を模した意匠部とすることもできる。
【００１３】
図７は本考案の第４実施例を示す。図７の動物用ガム１ＦはアルファベトのＳ形の意匠部２Ｆと意匠部２Ｆから延設された平板状の取っ手部３Ｆを備えたものである。図８は図７の変形例を示し、この動物用ガム１ＧはアルファベトのＧ形の意匠部２Ｇと意匠部２Ｇから延設された平板状の取っ手部３Ｇを備えたものである。
なお、Ｓ、Ｇ以外のアルファベット、カタカナ、ひらがな、漢字等の文字を模した意匠部とすることもできる。
【００１４】
図９は本考案の第５実施例を示す。図９の動物用ガム１Ｈは櫛形の意匠部２Ｈと意匠部２Ｈから延設された平板状の取っ手部３Ｈを備えたものである。図１０は図９の変形例を示し、この動物用ガム１Ｉは櫛形の意匠部２Ｉと意匠部２Ｉから延設された捻り付の取っ手部３Ｉを備えたものである。
なお、櫛以外のハサミ、帽子、靴、手袋などの生活用具、身の回り品を模した意匠部とすることもできる。
【００１５】
上記した各実施例及びその変形例における動物用ガムの取っ手部は人が手に持つほか、動物用ガムの保持具に保持させるようにすることもできる。たとえば、本願考案者の発明した特許第５５６９７２３号記載の保持具に保持させることができる。
【産業上の利用可能性】
【００１６】
本考案は、人が手に持ったり、保持具に保持させたりする動物用ガムに適用可能である。
【符号の説明】
【００１７】
１、１Ａ、１Ｂ、１Ｃ、１Ｄ、１Ｅ、１Ｆ、１Ｇ、１Ｈ、１Ｉ  動物用ガム
２、２Ａ、２Ｂ、２Ｃ、２Ｄ、２Ｅ、２Ｆ、２Ｇ、２Ｈ、２Ｉ  意匠部
３、３Ａ、３Ｂ、３Ｃ、３Ｄ、３Ｅ、３Ｆ、３Ｇ、３Ｈ、３Ｉ  取っ手部
【図１】
0003200589.tif 000003
【図２】
0003200589.tif 000004
【図３】
0003200589.tif 000005
【図４】
0003200589.tif 000006
【図５】
0003200589.tif 000007
【図６】
0003200589.tif 000008
【図７】
0003200589.tif 000009
【図８】
0003200589.tif 000010
【図９】
0003200589.tif 000011
【図１０】
0003200589.tif 000012
(57)【要約】      （修正有）【課題】従来のサムピックも使いやすくなり、さらにピックの形状によっては板ピックと同じストロークやソロ演奏が可能となるギターピック用サポート指サックを提供する。【解決手段】親指の指紋側に開口部を有し、その周囲に補強用のリブ２を施してサムピックを安定化し、指を保護するサポート機能を持たせる。リブ２は、本体の強化とピックのずれを防止するため親指の爪の部分から腹にかけて一周するように設ける。指先（第一関節より上部）にはイボ状の突起３を施す。これによって、ピックが親指に固定され、人差し指が解放される。指引きとピック弾きを両立できることはギター技術の新たな歴史を拓くことになる。また、演奏技術的な問題を解消するだけでなく、指の保護にも効果がある。ギター初心者にとっても安心してサムピックが使用でき、指の痛みからも解放される。【選択図】図１
0003200594.tif 000002
【実用新案登録請求の範囲】
【請求項１】
親指の指紋側に開口部を有し、その周囲にリブを施したサムピック安定化と、指を保護するサポート機能を持つギターピック用サポート指サック。
【請求項２】
請求項１において、本体の強化とピックのずれを防止するため親指の爪の部分から腹にかけて一周するリブを設けたギターピック用サポート指サック。
【考案の詳細な説明】
【技術分野】
【０００１】
この考案はギター用サムピックのぐらつきを抑え、固定することによって多様な演奏形態
を可能にするためのものである。
【背景技術】
【０００２】
親指の大きさは個人差があり、ぐらつきを抑えるために通常小さ目のピックを使用する。
しかしこれまでのサムピックは安定感がなく、かつ指の痛みを伴うものであった。板状のピックのように下から上へのストロークはできず、演奏中にずれたり落下したりする。
そのためサムピックは所有してはいてもなかなか使いづらいのが現状である。
【考案の概要】
【考案が解決しようとする課題】
【０００３】
もしもサムピックが親指に固定されて人差し指が自由に使えるようになれば多種多様な演奏が可能になる。指弾きと板ピックの奏法が同時に可能となれば、これまでの多くの演奏家が抱えていた問題が解決される。板ピック奏法から指弾きにかえようとするとき、ピックを咥えたり、手のひらに収めたりして切り抜けてきたが5本の指を解放してやることは不可能であった。逆にサムピックから板ピックへの移行は演奏中には無理である。
【課題を解決するための手段】
【０００４】
どのようにしてサムピックを親指にしっかり固定できるか！このテーマを解決するために市販のページめくり用の指サックを装着して弾いてみた。ピックはある程度固定された。
が、弦を弾く前、また弾いた後に指サックの表面のゴムが弦に触れて出音の邪魔をする。
ピックの先端と指の皮膚、そして弦の３つの相互関係が指サックをしていない状態のときと同じであることが必要である。そこで指の指紋のある側の腹にあたる部分を楕円形にきりとることによって解決できた。さらに指サックの補強とピックのずれを止めるリブを施すことによって課題は克服できる。また演奏形態を広げるだけでなく、指の痛みも解消し保護することを両立させたのが本考案のギターピック用サポート指サックである。
指サックの素材は伸縮性の高い薄手のゴムを用い、親指の第一関節より上部にあたるところはイボ状の突起を施す。また、くりぬいた腹の部分の周囲と、指先の爪の部分を一周する補強用のリブを設ける。また指サックの根元にも同様のリブを設ける。開口部の楕円形の大きさは、装着前の状態で最低、縦径20mm、横径10mmが必要である。設置位置は装着前の状態で、先端から8mm程度下がったところが楕円の最上部になる。爪の部分を一周する補強リブは楕円の最上部を起点として、楕円の縦径と垂直になるようにする。
【考案の効果】
【０００５】
このサポート用指サックによって従来のサムピックも使いやすくなり、さらにピックの形状によっては板ピックと同じストロークやソロ演奏が可能となる。アコースティックギターからエレクトリックギター、さらにベースギターへの対応もでき、初心者からプロまで新たなギターの世界を拓くカギとなる。
【図面の簡単な説明】
【０００６】
【図１】図１は、指サック本体である。
【図２】図２は、本体を親指に装着した状態である。
【図３】図３は、サムピックを装着した状態の親指腹側である。
【図４】図４は、サムピックを装着した状態の背面である。
【図５】図５は、輪ゴムを装着した状態の正面である。
【図６】図６は、輪ゴムを用いた状態の背面である。
【実施例】
【０００７】
図１のように（１）の腹の部分を楕円形にくりぬき、補強用のリブ（２）を設ける。
指先（第一関節より上部）にはイボ状の突起（３）を施す。演奏するためには図２のように親指の腹の部分（４）が露出している必要がある。装着時の露出部分の大きさは、縦２５ｍｍ、横２０ｍｍ程度の楕円形となる。図３、図４は実際にサムピックを装着した状態である。指の爪にあたる部分を一周するリブがストッパーの役目を果たしている。ゆるいピックや、激しいストロークの演奏時に効果がある。図５、図６は輪ゴムを用いてさらに安定を強化したものである。ベースギターや激しいピッキングにも耐える補強用の処置である。演奏形態や、あらゆるピックの形状に対応するための補助的なアイディアとして市販の輪ゴムが役立つ。
安価で耐久性に優れた本考案の指サックはギター演奏のさまざまな場面で手軽に使用できる。親指の大きさの個人差に対応するため、指サックの直径をＭサイズ、Ｌサイズとして
提供する必要がある。本試作においてはＭサイズ（直径１８ｍｍ）を使用している。
【符号の説明】
【０００８】
１  ギターピック用サポート指サック
２  補強リブ
３  イボ状突起
４  親指の腹
５  サムピック
６  輪ゴム
【図１】
0003200594.tif 000003
【図２】
0003200594.tif 000004
【図３】
0003200594.tif 000005
【図４】
0003200594.tif 000006
【図５】
0003200594.tif 000007
【図６】
0003200594.tif 000008
(57)【要約】      （修正有）【課題】モチモチした食感と黒糖独特の味わい深さを備えるクレープ菓子を提供する。【解決手段】クレープ菓子１は、少なくとも小麦粉、米粉及びベーキングパウダーを含む粉体を液体で溶いた後、平らに焼き上げ、焼き上げたものに黒糖を塗してなるクレープ生地２と、クレープ生地２によって包まれるクリーム状の具材４と、を有し、クレープ生地２及び具材４が交互に積層されることを特徴とする。また、前記米粉がもち粉であり、クレープ生地２には黒蜜が塗布されることを特徴とする。【選択図】図３
0003200535.tif 000002
【実用新案登録請求の範囲】
【請求項１】
少なくとも小麦粉、米粉及びベーキングパウダーを含む粉体を液体で溶いた後、平らに焼き上げ、焼き上げたものに黒糖を塗してなるクレープ生地と、
前記クレープ生地によって包まれるクリーム状の具材と、を有することを特徴とするクレープ菓子。
【請求項２】
前記クレープ生地及び前記具材が交互に積層されることを特徴とする請求項１に記載のクレープ菓子。
【請求項３】
前記米粉がもち粉であることを特徴とする請求項１又は２に記載のクレープ菓子。
【請求項４】
前記クレープ生地には黒蜜が塗布されることを特徴とする請求項１乃至３の何れか一に記載のクレープ菓子。
【請求項５】
前記具材が、生クリーム、カスタードクリーム、チーズクリーム、チョコレートクリーム、餡入りクリーム、フルーツクリーム、小豆餡及び黒糖餡のうち何れか１つ以上で構成されることを特徴とする請求項１乃至４の何れか一に記載のクレープ菓子。
【考案の詳細な説明】
【技術分野】
【０００１】
クレープ菓子の技術に関する。
【背景技術】
【０００２】
沖縄地方の菓子に「ちんびん」と呼ばれるものがあり、当該「ちんびん」は生地にもち粉や黒糖が含まれ、食感や見た目はクレープに近いが、独特のモチモチした食感や黒糖独特の味わい深さを備えている。
【考案の概要】
【考案が解決しようとする課題】
【０００３】
しかし従来、上記「ちんびん」を側とし、その「ちんびん」でクリーム状の具材を包み込む形態の菓子は存在しない。
そこで本考案では、モチモチした食感と黒糖独特の味わい深さを備えるクレープ菓子を提供することを目的とする。
【課題を解決するための手段】
【０００４】
開示するクレープ菓子は、少なくとも小麦粉、米粉及びベーキングパウダーを含む粉体を液体で溶いた後、平らに焼き上げ、焼き上げたものに黒糖を塗してなるクレープ生地と、前記クレープ生地によって包まれるクリーム状の具材と、を有することを特徴とする。
【考案の効果】
【０００５】
開示するクレープ菓子は、モチモチした食感と黒糖独特の味わい深さを備える。
【図面の簡単な説明】
【０００６】
【図１】本実施の形態に係るクレープ菓子の一形態の外観を示す図である。
【図２】本実施の形態に係るクレープ菓子の一形態の断面を示す図である。
【図３】本実施の形態に係るクレープ菓子の他形態の断面を示す図である。
【考案を実施するための形態】
【０００７】
図面を参照しながら、本考案を実施するための形態について説明する。
（本実施の形態に係るクレープ菓子の構造）
【０００８】
図１乃至３を用いて、本実施の形態に係るクレープ菓子１の構造について説明する。図１はクレープ菓子１の一形態の外観を示す図であり、図２はクレープ菓子１の一形態の断面を示す図である。また、図３はクレープ菓子１の他形態の断面を示す図である。
クレープ菓子１は、クレープ生地２とクリーム状の具材４を含む菓子である。
【０００９】
クレープ生地２は、少なくとも小麦粉、米粉（もち粉）及びベーキングパウダーを含む粉体から生成され、当該紛体には砂糖、黒糖、食塩等が含まれていても良い。クレープ生地２は、当該紛体を水等の液体で溶き、鉄板等の熱せられた板状の調理器具上で平らに焼き上げて生成される。クレープ生地２に米粉（もち粉）が含まれているため、クレープ菓子１はモチモチした食感を備える。
【００１０】
クレープ生地２は、上記調理器具で平らに焼き上げられた後、表面に黒糖が塗される。またクレープ生地２は、上記調理器具で平らに焼き上げられた後、黒砂糖を水に溶かして煮詰め、とろみをもたせた黒蜜を表面に塗布する形態が好適である。黒糖独特の味わい深さを強めるためである。
【００１１】
具材４は、クリーム状の食材であり、例えば、生クリーム、カスタードクリーム、チーズクリーム、チョコレートクリーム、餡入りクリーム、フルーツクリーム、小豆餡及び黒糖餡等の食材である。具材４は、先に掲げた食材１つ（単体）で構成される形態であっても良く、当該食材のいずれか１つ以上を混ぜ合わせた（組み合わせた）もので構成される形態であっても良い。
具材４は、クレープ生地２によって包まれる。図１及び２で示すように、具材４は、１枚のクレープ生地２によって、内側に包みこまれる形態であっても良い。
一方図３で示すように、具材４は、クレープ生地２と具材４とが交互に積層される形態を成すことによって、上下２層のクレープ生地２で包まれる（挟まれる）形態であっても良い。
【００１２】
クレープ菓子１は、モチモチした食感と黒糖独特の味わい深さを備える側２でクリーム状の具材４を包み込むことによって、従来に無い食感と味を備えた菓子となる。
【００１３】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００１４】
１  クレープ菓子
２  クレープ生地
４  クリーム状の具材
【図１】
0003200535.tif 000003
【図２】
0003200535.tif 000004
【図３】
0003200535.tif 000005